(57)【要約】      （修正有）【課題】  休息中や運動中に十分な酸素をユーザに供給することができるレジャーフィットネス装置を提供する。【解決手段】  酸素供給機能を有するレジャーフィットネス装置は、レジャーフィットネス装置本体と、酸素生成装置１０２１と、制御装置１０３とを備える。酸素生成装置は、レジャーフィットネス装置本体に固定又は着脱可能に接続されている。レジャーフィットネス装置本体及び酸素生成装置は、制御装置によって制御される。レジャーフィットネス装置は、コンパクトな構造を有し、レジャーやフィットネスに加えて酸素供給機能を有する。レジャーフィットネス装置は、家庭での使用は勿論のこと、エンターテイメント施設、トレーニングセンター、病院等、公共の場所での使用にも適している。【選択図】図１(ａ)
0003124903.tif 000002
【実用新案登録請求の範囲】
【請求項１】
レジャーフィットネス装置本体と、
酸素生成装置と、
制御装置とを備え、
上記酸素生成装置は、上記レジャーフィットネス装置本体に固定又は着脱可能に接続されており、
上記レジャーフィットネス装置本体及び上記酸素生成装置は、上記制御装置によって制御されること
を特徴とする酸素供給機能を有するレジャーフィットネス装置。
【請求項２】
上記レジャーフィットネス装置本体は、ランニングマシン、マッサージソファー、マッサージチェアー、フィットネス自転車、又はスキーマシンのうちのいずれかであること
を特徴とする請求項１記載の酸素供給機能を有するレジャーフィットネス装置。
【請求項３】
上記酸素生成装置は、上記レジャーフィットネス装置本体のベースフレームに固定又は着脱可能に接続されていること
を特徴とする請求項１記載の酸素供給機能を有するレジャーフィットネス装置。
【請求項４】
上記酸素生成装置は、マイクロＰＳＡ酸素生成装置又はマイクロ膜酸素濃縮マシンのいずれかであること
を特徴とする請求項１記載の酸素供給機能を有するレジャーフィットネス装置。
【請求項５】
上記制御装置は、制御パネル又はコントローラのいずれかの形態であること
を特徴とする請求項１記載の酸素供給機能を有するレジャーフィットネス装置。
【請求項６】
上記酸素生成装置は、酸素吸入装置に直接接続されるか、又は切り替えバルブを介して酸素吸入装置に間接的に接続されること
を特徴とする請求項１記載の酸素供給機能を有するレジャーフィットネス装置。
【請求項７】
流量調節装置が上記酸素吸入装置の上に設置されていること
を特徴とする請求項６記載の酸素供給機能を有するレジャーフィットネス装置。
【請求項８】
上記酸素吸入装置は、２つの端部を有し、一方の端部は、上記酸素生成装置の出口に接続されており、他方の端部は、ユーザがアクセス可能となっていること
を特徴とする請求項６記載の酸素供給機能を有するレジャーフィットネス装置。
【請求項９】
上記ユーザがアクセス可能な上記酸素吸入装置の端部は、酸素マスクに接続されていること
を特徴とする請求項８記載の酸素供給機能を有するレジャーフィットネス装置。
【請求項１０】
２つの端部を有する自動解放手段をさらに備え、
上記自動解放手段の一方の端部は、上記レジャーフィットネス装置本体上部に固定されて上記酸素生成装置に接続されており、当該自動解放手段の他方の端部は、着脱可能に上記酸素吸入装置に接続されていること
を特徴とする請求項８記載の酸素供給機能を有するレジャーフィットネス装置。
【請求項１１】
上記自動解放手段は、ジョイントと、リリースバネと、位置決め装置とを備え、
上記ジョイントの一方の端部は、上記酸素吸入装置に接続されており、他方の端部は、上記レジャーフィットネス装置本体上のベース内に設けられ、上記ベースの下部に設けられた上記リリースバネに対して押圧しており、
上記ジョイントは、上記位置決め装置を介して上記ベースの内部に位置し、当該ベースから解放され得ること
を特徴とする請求項１０記載の酸素供給機能を有するレジャーフィットネス装置。
【請求項１２】
上記自動解放手段は、重力制限又は張力制限内で設定され、上記酸素吸入装置を使用しているユーザが転倒したときには、解放し、上記ユーザから自動的に上記酸素吸入装置を離れさせること
を特徴とする請求項１０記載の酸素供給機能を有するレジャーフィットネス装置。
【考案の詳細な説明】
【技術分野】
【０００１】
本考案は、レジャーフィットネス装置に関し、特に、酸素供給機能を有するレジャーフィットネス装置に関する。
【背景技術】
【０００２】
仕事中や旅行中や休息中であるとき、人々は、マッサージによって疲労を回復したり、ランニングマシン、フィットネス自転車、スキーマシンを用いることによって肉体運動したりすることを望む。しかし、呼吸器疾患や心臓・脳血管系疾患を有している多くの人々、妊婦、高齢者にとって、疲労をともなう作業や頭脳労働や精力的な運動を行うことによる人体に対する酸素不足の問題が存在している。快適なマッサージソファーやマッサージチェアーに横たわったり座ったりしているときや、ランニングマシン、フィットネス自転車、スキーマシンを用いて精力的な運動をするとき、人々は、酸素不足の問題を解決するために酸素供給装置を有しているのを好むであろう。家庭やエンターテイメント施設や職場において、レジャーやフィットネスに追加して酸素供給機能を有する装置が存在している場合には、人々にとって、医療施術やボディービルディングやヘルスケアを受けるのに、より便利であり、より有効である。
【考案の開示】
【考案が解決しようとする課題】
【０００３】
しかしながら、従来においては、マッサージソファー、マッサージチェアー、ランニングマシン、フィットネス自転車、スキーマシン等のレジャーフィットネス装置は、酸素生成装置（oxygenerator）と分離されている。また、一般に、酸素生成装置は、人々にとって満足できないほど体積が大きく、重量も大きい。さらに、コストは、２種類の装置の両方を使用するために、かなり高いものとなり、これら２種類の装置を組み合わせて操作するのは便利ではない。
【０００４】
本考案は、このような実情に鑑みてなされたものであり、人々が従来のレジャーやフィットネス装置を使用しているときにおける酸素不足の問題を解決することができるように、酸素生成装置を含み、休息中や運動中に十分な酸素をユーザに供給することができるレジャーフィットネス装置を提供することを目的とする。また、本考案にかかるレジャーフィットネス装置は、コンパクトな構造と低コストを実現することができる。
【課題を解決するための手段】
【０００５】
本考案にかかるレジャーフィットネス装置は、レジャーフィットネス装置本体と、酸素生成装置と、制御装置とを備え、上記酸素生成装置は、上記レジャーフィットネス装置本体に固定又は着脱可能に接続されており、上記レジャーフィットネス装置本体及び上記酸素生成装置は、上記制御装置によって制御されることを特徴としている。
【０００６】
このような本考案にかかるレジャーフィットネス装置において、ユーザは、レジャーフィットネス装置本体の制御装置を操作することにより、レジャーフィットネス装置本体及びマイクロ酸素生成装置の両方の作動状態を同時に制御することが可能となる。これにより、本考案にかかるレジャーフィットネス装置においては、休息中や運動中に十分な酸素をユーザに供給することができることから、レジャーフィットネス装置本体を使用しているときにおける酸素不足の問題を解決することができる。
【０００７】
具体的には、上記レジャーフィットネス装置本体は、ランニングマシン、マッサージソファー、マッサージチェアー、フィットネス自転車、又はスキーマシンのうちのいずれかを適用することができる。
【０００８】
ここで、上記酸素生成装置は、上記レジャーフィットネス装置本体のベースフレームに固定又は着脱可能に接続されているのが望ましい。
【０００９】
このような上記酸素生成装置としては、マイクロＰＳＡ酸素生成装置又はマイクロ膜酸素濃縮マシンのいずれかを用いて好適である。
【００１０】
また、上記制御装置は、制御パネル又はコントローラのいずれかの形態とするのが望ましい。
【００１１】
さらに、上記酸素生成装置は、酸素吸入装置に直接接続されるか、又は切り替えバルブを介して酸素吸入装置に間接的に接続されるのが望ましい。
【００１２】
このとき、本考案にかかるレジャーフィットネス装置においては、流量調節装置を上記酸素吸入装置の上に設置することができる。
【００１３】
また、上記酸素吸入装置は、２つの端部を有し、一方の端部は、上記酸素生成装置の出口に接続されており、他方の端部は、ユーザがアクセス可能となっているのが望ましい。
【００１４】
さらに、上記ユーザがアクセス可能な上記酸素吸入装置の端部は、酸素マスクに接続されているのが望ましい。
【００１５】
さらにまた、本考案にかかるレジャーフィットネス装置は、２つの端部を有する自動解放手段をさらに備えるのが望ましい。このとき、上記自動解放手段の一方の端部は、上記レジャーフィットネス装置本体上部に固定されて上記酸素生成装置に接続されており、当該自動解放手段の他方の端部は、着脱可能に上記酸素吸入装置に接続されているのが望ましい。
【００１６】
ここで、上記自動解放手段は、ジョイントと、リリースバネと、位置決め装置とを備え、上記ジョイントの一方の端部は、上記酸素吸入装置に接続されており、他方の端部は、上記レジャーフィットネス装置本体上のベース内に設けられ、上記ベースの下部に設けられた上記リリースバネに対して押圧しており、上記ジョイントは、上記位置決め装置を介して上記ベースの内部に位置し、当該ベースから解放され得るように構成される。
【００１７】
また、上記自動解放手段は、重力制限又は張力制限内で設定され、上記酸素吸入装置を使用しているユーザが転倒したときには、解放し、上記ユーザから自動的に上記酸素吸入装置を離れさせるように構成されるのが望ましい。
【００１８】
このような本考案にかかるレジャーフィットネス装置においては、ユーザの前に酸素吸入装置や酸素マスクを設け、運動しているユーザのために正面に酸素を吹き出し、酸素吸入装置で流量調節装置を調整することにより、酸素不足の問題を解決するように、酸素濃度を調整することができる。また、酸素吸入装置を介して生成される酸素は、ユーザに提供することができる。さらに、本考案にかかるレジャーフィットネス装置においては、酸素吸入装置を使用している又は酸素マスクを着用しているユーザが転倒したときに、自動解放手段が解放し、ユーザから自動的に酸素吸入装置を離れさせることができるため、安全に使用することができる。さらにまた、本考案にかかるレジャーフィットネス装置は、コンパクトな構造を有し、レジャーやフィットネスに加えて酸素供給機能を有することから、家庭での使用は勿論のこと、エンターテイメント施設、トレーニングセンター、病院等、公共の場所での使用にも適している。
【考案の効果】
【００１９】
本考案にかかるレジャーフィットネス装置においては、休息中や運動中に十分な酸素をユーザに供給することができることから、レジャーフィットネス装置本体を使用しているときにおける酸素不足の問題を解決することができる。
【考案を実施するための最良の形態】
【００２０】
以下、本考案を適用した具体的な実施の形態について図面を参照しながら詳細に説明する。
【００２１】
第１の実施の形態
図１(ａ)に示すように、酸素供給機能を有するレジャーフィットネス装置は、レジャーフィットネス装置本体であるランニングマシン１０１と、酸素生成装置と、制御装置１０３と、酸素供給パイプと、自動解放手段（automatic disengaging means）１１１と、酸素吸入装置と、酸素マスクとを備える。
【００２２】
酸素生成装置は、ランニングマシン１０１のベースフレーム１１０の上において当該ランニングマシン１０１と一体的に設けられているマイクロＰＳＡ酸素生成装置（micro PSA oxygenerator）１０２１である。マイクロＰＳＡ酸素生成装置１０２１は、マイクロオイルフリーエアーブーストコンプレッサ（micro oil free air-boost compressor）１０４１と、２つのマイクロゼオライト分子篩吸着塔（micro zeolite molecular sieve adsorption tower）１０５１と、制御バルブ１０６１と、バッファタンク１０７１と、エアーフィルタ１０８１と、流量調節バルブ１０９１とを備える。酸素供給パイプは、酸素生成装置の出口と自動解放手段１１１との間に接続されている。空気は、エアーフィルタ１０８１を介してマイクロオイルフリーエアーブーストコンプレッサ１０４１に導入され、制御バルブ１０６１を介して交互に２つのゼオライト分子篩吸着塔１０５１に入る。そして、空気は、バッファタンク１０７１、流量調節バルブ１０９１、酸素供給パイプ、自動解放手段１１１を通過し、最終的に、酸素吸入装置や酸素マスクを介して、運動している人々に供給される。ここで、マイクロゼオライト分子篩吸着塔１０５１は、圧力スイング吸着（pressure swing adsorption；ＰＳＡ）ゼオライト分子篩であり、医療の規格にしたがった酸素を生成することができる。これにより、マイクロＰＳＡ酸素生成装置１０２１は、マッサージソファー、マッサージチェアー、ランニングマシン、フィットネス自転車、スキーマシンが設置された場所等、酸素が不足している場所に十分な酸素を供給し、酸素濃度を改善することができる。また、マイクロＰＳＡ酸素生成装置１０２１は、その代わりに、酸素吸入装置を介して、生成した酸素を直接ユーザに供給してもよい。
【００２３】
さらに、レジャーフィットネス装置は、２つの端部を有する酸素吸入装置を備える。この酸素吸入装置の一方の端部は、自動解放手段１１１の端部に接続されており、他方の端部は、ユーザがアクセス可能となっている。ユーザがアクセス可能な酸素吸入装置の端部は、さらに、酸素マスクに接続することもできる。酸素生成装置は、酸素供給パイプの端部に直接接続されるか、又は切り替えバルブを介して酸素供給パイプの端部に間接的に接続される。
【００２４】
２つの端部を有する機械的又は電気的な自動解放手段１１１は、ランニングマシン１０１の上部に設けられている。自動解放手段１１１の一方の端部は、制御装置１０３に固定されて酸素供給パイプの他方の端部に接続されており、他方の端部は、着脱可能に酸素吸入装置に接続されている。ユーザが酸素吸入器や酸素マスクを用いて酸素を吸入したとき、ユーザがプリセットされた重力制限や張力制限に起因して転倒すると、いかなる方向であっても、酸素吸入装置は、ユーザから自動的に離れる。
【００２５】
図１(ｂ)に、自動解放手段１１１の詳細を示す。ジョイント１１１０の一方の端部は、酸素吸入装置に接続されており、他方の端部は、制御装置１０３上のベース内に設けられ、ベース１１１１の下部に設けられたリリースバネ１１１２を圧縮状態に維持してプリセットされた圧力制限を発生するように、当該リリースバネ１１１２に対して押圧している。ジョイント１１１０をベース１１１１の内部に位置させ、ユーザが転倒したときに当該ジョイント１１１０が当該ベース１１１１から確実に解放され得るようにするために、楔１１１３、位置決めピン１１１４、及び伸縮バネ１１１５からなる位置決め装置が設けられ、溝により、ジョイント１１１０が位置決めピン１１１４と接触するように当該ジョイント１１１０が設けられる。通常使用時には、伸縮バネ１１１５により、位置決めピン１１１４は、ジョイント１１１０の溝において強く押圧され、ジョイント１１１０は、ベース１１１１の内部に固定される。ユーザが転倒すると、酸素吸入装置は、上向きの力を発生させ、これに加え、リリースバネ１１１２による反力に起因して、ジョイント１１１０は、ベース１１１１の下部から上向きに移動するように力を受け、伸縮バネ１１１５の補助をともなって位置決めピン１１１４を外部に移動するように押圧する。位置決めピン１１１４が溝から離れると、ジョイント１１１０は、ベース１１１１から離れ、これにより、酸素吸入装置は、ユーザから離れることになる。
【００２６】
制御装置１０３は、ランニングマシン１０１の上部に設けられた制御パネルの形態とされ、当該ランニングマシン１０１及びマイクロＰＳＡ酸素生成装置１０２１の作動状態を制御及び設定する。
【００２７】
第２の実施の形態
図１(ｃ)に示すように、本実施の形態と第１の実施の形態との差異は、酸素生成装置がマイクロ膜酸素濃縮マシン（micro membrane oxygen-enriched machine）１０２２であり、ランニングマシン１０１の上部の制御装置１０３の下側に設けられていることである。マイクロ膜酸素濃縮マシン１０２２は、マイクロオイルフリー真空ポンプ（micro oil free vacuum pump）１０４２と、膜アセンブリ（membrane assembly）１０５２と、バッファタンク１０６２と、凝縮水タンク（condensed water tank）１０７２と、ファン１０８２とを備える。酸素供給パイプは、酸素生成装置の出口と自動解放手段１１１との間に接続されている。空気は、ファン１０８２によって膜アセンブリ１０５２の内部に吹き出され、バッファタンク１０６２、マイクロオイルフリー真空ポンプ１０４２、凝縮水タンク１０７２、酸素供給パイプを通過し、自動解放手段１１１に入る。そして、空気は、最終的に、酸素吸入装置や酸素マスクを介して、運動している人々に供給される。なお、マイクロ膜酸素濃縮マシン１０２２は、２５％〜３５％の酸素濃度に酸素濃縮された空気を得るために、巨大分子浸透膜（macromolecule osmosis membrane）を使用してもよい。
【００２８】
また、酸素の流量を制御するために、流量調節装置を酸素吸入装置の上に設置してもよい。
【００２９】
第３の実施の形態
図２(ａ)に示すように、酸素供給機能を有するレジャーフィットネス装置は、レジャーフィットネス装置本体であるマッサージソファー２０１と、酸素生成装置と、制御装置２０３と、酸素吸入装置と、酸素マスクとを備える。
【００３０】
酸素生成装置は、マッサージソファー２０１のベースフレーム２１０の上において当該マッサージソファー２０１と一体的に設けられているマイクロＰＳＡ酸素生成装置２０２１である。
【００３１】
制御装置２０３は、ユーザが保持するのに便利なコントローラであり、マッサージソファー２０１及びマイクロＰＳＡ酸素生成装置２０２１の作動状態を制御及び設定する。
【００３２】
なお、マッサージソファー２０１は、マッサージチェアーに代えてもよい。
【００３３】
第４の実施の形態
図２(ｂ)に示すように、本実施の形態と第３の実施の形態との差異は、酸素生成装置がマイクロ膜酸素濃縮マシン２０２２であることである。
【００３４】
マイクロ膜酸素濃縮マシン２０２２は、マイクロ酸素生成装置を本来備えている制御装置を用いて、レジャーフィットネス装置本体から制御することができる。
【００３５】
図３に示すように、本考案の酸素供給機能を有するレジャーフィットネス装置のマイクロ酸素生成装置の内部に設置された制御回路基板は、ＭＣＵ（Micro Control Unit）チップ３０１と、電源回路３０２と、モニタ及びアラーム回路３０３と、作動状態モニタ回路３０４と、マイクロ酸素生成装置のマイクロコンプレッサ、ファン、及び電磁バルブを制御するための制御スイッチ３０５，３０６，３０７とを備える。ここで、ＭＣＵ３０１は、電源回路３０２、モニタ及びアラーム回路３０３、作動状態モニタ回路３０４、及び制御スイッチ３０５，３０６，３０７のそれぞれに接続されている。これにより、制御スイッチ３０５，３０６，３０７を介して、マイクロコンプレッサ、ファン、及び電磁バルブは、それぞれ、ＭＣＵ３０１によって制御される。
【００３６】
図４に示すように、装置全体の中央コントローラであるＭＣＵは、装置全体の全ての部分の動作を制御し、また、当該装置の様々な作動状態をモニタする。
【００３７】
図５に示すように、必要なＤＣ電圧は、変圧器及びＡ／Ｄ変換器を介して得られ、さらに、レギュレーティングモジュールによって安定化される。モジュールのＶＰ，ＶＤＤ出力は、システムの異なる部分の電源として使用される。すなわち、ＶＰは、電磁バルブ、コンプレッサ、及びファンの電源として使用され、ＶＤＤは、様々なチップの電源として使用される。
【００３８】
図６に示すように、制御スイッチ回路は、２つの部分を有し、これら２つの部分は、それぞれ、ＭＯＳトランジスタ及びリレーシステムからなる。一方は、電磁バルブを制御するために使用され、他方は、マイクロＰＳＡ酸素生成装置のコンプレッサの動作のために使用される。制御スイッチ回路は、ＭＣＵからの異なる制御信号にしたがって動作し、これにより、マイクロＰＳＡ酸素生成装置を介して酸素を効率的に生成させる。
【００３９】
代わりに、本考案のマイクロ酸素生成装置は、レジャーフィットネス装置本体の制御のもとに動作することができる。
【００４０】
図７に示すように、マイクロ酸素生成装置がレジャーフィットネス装置本体の制御のもとに動作するとき、システムの比較的高電圧の部分を制御するために低電圧信号を使用する制御インターフェースを介して、事実上、２つの部分が絶縁される。この技術は、マイクロ酸素生成装置とレジャーフィットネス装置本体との間の干渉を回避するのに寄与する。図８に示すように、電流制限抵抗器Ｒは、フォトカプラの駆動電流を制御するために用いられ、また、レジャーフィットネス装置本体のＭＣＵのポートの定格電流の範囲内に電流を維持する。光電子絶縁体ＥＬ８１７は、レジャーフィットネス装置本体とマイクロ酸素生成装置との間の干渉の可能性が最小限にまで減少するように、これらの間の信号を有効に絶縁するために用いられる。光電子絶縁体の効果で、ＭＣＵからの電気信号は、動作するようにスイッチを駆動する。通常のオン状態のスイッチは、マイクロ酸素生成装置の動作電源を制御するために、当該マイクロ酸素生成装置のＰＣＢ（print circuit board）に接続される。このように、マイクロ酸素生成装置は、レジャーフィットネス装置本体のコントローラによって有効に制御することができる。
【００４１】
なお、上述した実施の形態では、本考案が望ましい具体例として記述されていたが、本考案は、これに限定されるものではないことは理解されるべきである。これに対して、様々な変形例並びに同様の配置及び処理を包含するように意図されるべきである。例えば、レジャーフィットネス装置本体は、ランニングマシンやマッサージソファーの他に、マッサージチェアー、フィットネス自転車やスキーマシン等も適用することができる。したがって、添付した実用新案登録請求の範囲は、そのような変形例並びに同様の配置及び処理を全て包含するように、最も広い解釈として与えられるべきである。
【図面の簡単な説明】
【００４２】
【図１（ａ）】本考案の第１の実施の形態として示す酸素供給機能を有するレジャーフィットネス装置の構造を示す側面図であり、レジャーフィットネス装置本体がランニングマシンであり、酸素生成装置がマイクロＰＳＡ酸素生成装置である場合の構造を示す側面図である。
【図１（ｂ）】図１(ａ)に示すレジャーフィットネス装置の自動解放手段の拡大図である。
【図１（ｃ）】本考案の第２の実施の形態として示す酸素供給機能を有するレジャーフィットネス装置の構造を示す側面図であり、レジャーフィットネス装置本体がランニングマシンであり、酸素生成装置がマイクロ膜酸素濃縮マシンである場合の構造を示す側面図である。
【図２（ａ）】本考案の第３の実施の形態として示す酸素供給機能を有するレジャーフィットネス装置の構造を示す側面図であり、レジャーフィットネス装置本体がマッサージソファーであり、酸素生成装置がマイクロＰＳＡ酸素生成装置である場合の構造を示す側面図である。
【図２（ｂ）】本考案の第４の実施の形態として示す酸素供給機能を有するレジャーフィットネス装置の構造を示す側面図であり、レジャーフィットネス装置本体がマッサージソファーであり、酸素生成装置がマイクロ膜酸素濃縮マシンである場合の構造を示す側面図である。
【図３】本考案の実施の形態として示す酸素供給機能を有するレジャーフィットネス装置のマイクロ酸素生成装置の制御回路の構成を示すブロック図である。
【図４】図３に示す制御回路のＭＣＵの電気配線を示す図である。
【図５】図３に示す制御回路の電源回路の電気配線を示す図である。
【図６】図３に示す制御回路の制御スイッチ回路の電気配線を示す図である。
【図７】本考案の実施の形態として示す酸素供給機能を有するレジャーフィットネス装置の制御回路の構成を示すブロック図であり、酸素生成装置がレジャーフィットネス装置本体の制御のもとに動作する場合の制御回路の構成を示すブロック図である。
【図８】図７に示す制御回路の電気配線を示す図である。
【符号の説明】
【００４３】
１０１  ランニングマシン
１０３，２０３  制御装置
１１０，２１０  ベースフレーム
１１１  自動解放手段
２０１  マッサージソファー
３０１  ＭＣＵチップ
３０２  電源回路
３０３  モニタ及びアラーム回路
３０４  作動状態モニタ回路
３０５，３０６，３０７  制御スイッチ
１０２１，２０２１  マイクロＰＳＡ酸素生成装置
１０２２，２０２２  マイクロ膜酸素濃縮マシン
１０４１  マイクロオイルフリーエアーブーストコンプレッサ
１０４２  マイクロオイルフリー真空ポンプ
１０５１  マイクロゼオライト分子篩吸着塔
１０５２  膜アセンブリ
１０６１  制御バルブ
１０６２，１０７１  バッファタンク
１０７２  凝縮水タンク
１０８１  エアーフィルタ
１０８２  ファン
１０９１  流量調節バルブ
１１１０  ジョイント
１１１１  ベース
１１１２  リリースバネ
１１１３  楔
１１１４  位置決めピン
１１１５  伸縮バネ
【図１（ａ）】
0003124903.tif 000003
【図１（ｂ）】
0003124903.tif 000004
【図１（ｃ）】
0003124903.tif 000005
【図２（ａ）】
0003124903.tif 000006
【図２（ｂ）】
0003124903.tif 000007
【図３】
0003124903.tif 000008
【図４】
0003124903.tif 000009
【図５】
0003124903.tif 000010
【図６】
0003124903.tif 000011
【図７】
0003124903.tif 000012
【図８】
0003124903.tif 000013